(57)【特許請求の範囲】
【請求項１】
２枚のパルプシートの間に活性炭含有シートを介在させた積層シートで、該積層シートの少なくとも一側部の全体に亘って前記活性炭含有シートが介在していない積層シートの該一側部と他側部とを重ね合わせるようにして吸収材を包んでなる吸収体であって、
重ね合わせ部分の上側に前記活性炭含有シートが介在していない一側部が配置されている吸収体。
【請求項２】
請求項１記載の吸収体を、液透過性のトップシートと液不透過性のバックシートとの間に介在させた吸収性物品。
【請求項３】
請求項１記載の吸収体を、液透過性のトップシートと液不透過性のバックシートとの間に介在させ、更に、該吸収体の幅方向外方に延出された可撓性のサイドフラップを設けると共に、該サイドフラップの股下領域に長手方向に沿って伸縮弾性部材を設けた吸収性物品であって、
前記吸収性物品の後方の長手方向両側縁をそれぞれ前記トップシート側に折り返して前記吸収体が内在する第１折り返し部を形成し且つ
前記第１折り返し部におけるサイドフラップを前記バックシート側に折り返して第２折り返し部を形成すると共に
前記第１折り返し部を前記トップシートに接合固定し、
前記第２折り返し部を前記第１折り返し部に接合固定した吸収性物品。
【発明の詳細な説明】
【０００１】
【発明の属する技術分野】
本発明は、活性炭を含有した積層シートに関し、特に十分な強度を有し、活性炭の脱落がなく、製品及び製造ラインを汚さずに製造できる各種消臭・吸水用途に適用可能な積層シートに関する。また、前記積層シートを用いた消臭・吸水機能を有する吸収体及び吸収性物品に関し、特に活性炭が吸収した液体と共に外部に流出して着用具等を汚すことが無い吸収体及び吸収性物品に関する。
【０００２】
【従来の技術及び発明が解決しようとする課題】
活性炭の吸着性能を利用した種々のシート状物が従来から知られている。例えば、特開平９−１７３４２９号公報には、活性炭微粒子を含有させた各種消臭用途に適用可能な活性炭含有パルプシートが記載されているが、強度が弱い、活性炭が脱落し易い等の欠点がある。また、液体を吸収すると、活性炭が液体と共に外部に流出して付近を汚すので、吸水用途には適用できない。これらの欠点を補うために、パルプシートを、抄き合わせ又は貼り合わせにより積層させた積層シートが公知であるが、製造時のスリット工程で活性炭が脱落し、製品及び製造ラインが汚れるという問題がある。
【０００３】
従って、本発明の目的は、十分な強度を有し、活性炭の脱落がなく、製品及び製造ラインを汚さずに製造できる各種消臭・吸水用途に適用可能な積層シートを提供すること、並びに該積層シートを用いた消臭・吸水機能を有する吸収体及び吸収性物品であって、活性炭が吸収した液体と共に外部に流出して着用具等を汚すことが無い吸収体及び吸収性物品を提供することにある。
【０００４】
【課題を解決するための手段】
本発明は、２枚のパルプシートの間に活性炭含有シートを介在させた積層シートであって、前記積層シートの少なくとも一側部の全体に亘って前記活性炭含有シートが介在していない積層シートを提供することにより、前記目的を達成したものである。
【０００５】
また、本発明は、前記積層シートの一側部と他側部とを重ね合わせるようにして吸収材を包んでなる吸収体であって、重ね合わせ部分の上側に前記活性炭含有シートが介在していない一側部が配置されている吸収体を提供することにより、前記目的を達成したものである。
【０００６】
更に、本発明は、前記吸収体を、液透過性のトップシートと液不透過性のバックシートとの間に介在させ、該吸収体の幅方向外方に延出された可撓性のサイドフラップを設けると共に、該サイドフラップの股下領域に長手方向に沿って伸縮弾性部材を設けた吸収性物品であって、前記吸収性物品の後方の長手方向両側縁をそれぞれ前記トップシート側に折り返して前記吸収体が内在する第１折り返し部を形成し且つ前記第１折り返し部におけるサイドフラップを前記バックシート側に折り返して第２折り返し部を形成すると共に前記第１折り返し部を前記トップシートに接合固定し、前記第２折り返し部を前記第１折り返し部に接合固定した吸収性物品を提供することにより、前記目的を達成したものである。
【０００７】
【発明の実施の形態】
以下、本発明の積層シートの好ましい一実施形態について、該積層シートを用いた吸収体と共に図１〜図３を参照しながら説明する。
先ず、本実施形態の積層シート１について説明する。尚、本実施形態の積層シート１は、後述する使い捨ておむつの吸収体に用いられるものである。
本実施形態の積層シート１は、図１及び図２に示すように、２枚の同サイズの長方形形状のパルプシート３、３の間に、該パルプシート３よりも幅方向の長さが短い長方形形状の活性炭含有シート２を介在させてなる。そして、積層シート１の側部１ａ、１ａが、それぞれ側部１ａ全体に亘って活性炭含有シート２が介在していない。
【０００８】
本実施形態の積層シート１について詳述すると、側部１ａ、１ａは、図２に示すように、それぞれ側部１ａ全体に亘って活性炭含有シート２を介在させずに、２枚のパルプシート３、３を積層してなる２層構造部分である。側部１ａ、１ａにおけるパルプシート３、３同士がそれぞれ接着されることにより、積層シート１の両側端部が封止されて、側端部からの活性炭の脱落が防止される。
側部１ａの幅方向の長さＬは、好ましくは０．１〜２０ｃｍ、更に好ましくは１〜６ｃｍである。０．１ｃｍ未満では、活性炭の脱落防止が図れない場合があり、２０ｃｍより大きいと、活性炭含有シート２が小さくなって消臭機能を十分に発揮できない場合がある。
【０００９】
本実施形態の積層シート１における活性炭含有シート２は、消臭機能を有する活性炭混抄紙であり、２枚のパルプシート３、３に幅方向中央で挟持されている。活性炭含有シート２とパルプシート３とは、抄き合わせ又は接着剤等を用いた貼り合わせにより、前述のように積層される。
【００１０】
活性炭含有シート２の長手方向の長さはパルプシート３の長手方向の長さと同じであるが、幅方向の長さは、活性炭含有シート２が前記所定位置に配置されたときに、側部１ａ、１ａが、それぞれ側部１ａ全体に亘って活性炭含有シート２が介在しないように、パルプシート３の幅方向の長さよりも短くなっている。
活性炭含有シート２の厚みは、用途に応じて適宜調整されればよいが、好ましくは０．１〜１０ｍｍ、更に好ましくは０．２〜０．５ｍｍである。
【００１１】
パルプシート３は、活性炭を含有しないパルプシートであり、２枚のパルプシート３、３で活性炭含有シート２を挟持させることにより、積層シート１の強度が向上されると共に、活性炭の脱落が防止される。
パルプシート３の厚みは、用途に応じて適宜調整されればよいが、好ましくは０．１〜１０ｍｍ、更に好ましくは０．２〜０．５ｍｍである。
【００１２】
次に、前記積層シート１を用いた本実施形態の吸収体１０について図３を参照しながら説明する。尚、本実施形態の吸収体１０は、後述する使い捨ておむつの吸収体として用いられるものである。
本実施形態の吸収体１０は、図３に示すように、積層シート１の一側部１ａと他側部１ａとを重ね合わせるようにして縦長長方形形状の吸収材１１を包んでなる。一側部１ａと他側部１ａとは吸収材１１の幅方向中央において重ね合わされ、公知の方法により接着又は融着される。吸収体１０においては、吸収材１１はその前端部及び後端部以外は、パルプシート３で覆われている。
【００１３】
本実施形態の吸収体１０における一側部１ａ及び他側部１ａは、何れも活性炭含有シート２が介在していないので重ね合わせる際、どちらを上側に配置しても重ね合わせ部分の上側に活性炭含有シート２が介在していない構成となるが、本発明の積層シートの構成が、一側部のみが全体に亘って活性炭含有シート２を介在しておらず、他側部は活性炭含有シート２が介在している構成である場合には、一側部を、他側部の上側に配置して重ね合わせる。
【００１４】
活性炭含有シート２は、活性炭と繊維原料を主体としてなる。
本実施形態の活性炭含有シート２に用いられる活性炭は、悪臭その他ガス状物質に対して高い吸着性を示す活性炭であれば、原料、活性化法、形状等には制限されず使用できる。粒状の活性炭としては、好ましくは平均粒子径０．１〜５０μｍ、比表面積５００〜２０００ｍ2 ／ｇ、更に好ましくは平均粒子径１〜２０μｍ、比表面積１０００〜１５００ｍ2 ／ｇである。
活性炭含有シート２における活性炭の含有率は、好ましくは１〜５０％、更に好ましくは３〜３０％である。１％未満では消臭効果が奏されない場合があり、５０％より多いとパルプ原料の含有率が低くなってシート強度やフレキシブル性が著しく低下する場合がある。
【００１５】
活性炭含有シート２の繊維原料としては、ＮＢＫＰ、ＬＢＫＰ等の木材パルプの他、藁、綿等の非木材パルプ等の公知の天然繊維が使用できる。また、シート強度を向上させる目的で、ポリエチレン繊維等の合成繊維を適宜混合してもよい。
活性炭含有シート２における繊維原料の含有率は、好ましくは５０〜９９％、更に好ましくは７０〜９７％である。５０％未満ではシート強度やフレキシブル性が低下する場合があり、９９％より多いと活性炭の含有率が低くなって消臭効果が奏されない場合がある。
【００１６】
パルプシート３としては、紙、不織布等が用いられる。紙とした場合、繊維原料としては、活性炭含有シート２と同様のものが使用できる。また、不織布とした場合、例えば、スパンレース不織布、スパンボンド不織布等の公知の不織布が何れも使用できる。
【００１７】
吸収材１１の構成材料としては、従来吸収性物品に使用されるパルプ、不織布やポリアクリル酸塩系、デンプングラフト重合体系等の公知の繊維状又は粉末状の高分子吸収体が使用できる。
【００１８】
本実施形態の積層シートの製造方法は特に制限されないが、以下、本実施形態の積層シートの好ましい製造方法について説明する。
〈本実施形態の積層シートの製造方法〉
活性炭含有シート２は、活性炭及び繊維原料を含有したスラリーから、常法通り、通常の湿式抄紙法によりシート状に成形して得られる。このスラリーには、通常の抄紙において使用される各種添加剤の他、活性炭をシートに固着させるための各種バインダーが添加される。尚、他の活性炭含有シート２の製造方法として、添加剤を含む繊維原料からシートを成形し、このシートをバインダーを混合した活性炭の分散液に含浸する方法も採用できる。
また、パルプシート３は、繊維原料を主体としたスラリーから、活性炭含有シート２と同様の手段でシート状に成形して得られる。
【００１９】
前記のようにして得られた活性炭含有シート２とパルプシート３とは、常法通り、抄紙機上で抄き合わされるか、又は貼り合わせ機を用いて接着剤等により貼り合わされることにより、２枚のパルプシート３、３の間に活性炭含有シート２を介在させた積層シートとされる。その後、スリット工程において所望のシート巾に調整されて、本実施形態の積層シート１とされるが、その際、両側部１ａ、１ａが活性炭含有シート２が介在していないから、活性炭が脱落せず、製品及び製造ラインが汚れることがない。
【００２０】
本実施形態の積層シート１は、２枚のパルプシート３、３の間に活性炭含有シート２が介在され、側部１ａ、１ａがそれぞれ側部１ａ全体に亘って活性炭含有シート２を介在していないから、消臭機能を有し、且つ、十分な強度を有し、活性炭の脱落がなく、製品及び製造ラインを汚すことなく製造できる。
【００２１】
図４は、前記吸収体１０を用いた本発明の吸収性物品の好ましい一実施形態である使い捨ておむつの斜視図である。
本実施形態の使い捨ておむつ２０は、下着、おむつカバー等の着用具と共に着用されるもので、吸収体１０が、液透過性のトップシート２１と液不透過性のバックシート２２との間に幅方向中央において介在され、吸収体１０の幅方向外方に延出された可撓性のサイドフラップ２３が設けられると共に、サイドフラップ２３の股下領域に長手方向に沿って伸縮弾性部材２４を設けられている。そして、吸収性物品２０の後方の長手方向両側縁がそれぞれトップシート２１側に折り返されて吸収体１０が内在する第１折り返し部２５が形成されると共に、第１折り返し部２５におけるサイドフラップ２３がバックシート２２側に折り返されて第２折り返し部２６が形成され、更に、第１折り返し部２５はトップシート２１に接合固定され、第２折り返し部２６は第１折り返し部２５に接合固定されている。
尚、吸収体１０は、その長手方向の中央部分が使い捨ておむつ２０の股下領域に当たるように配置されており、該中央部分が実質的に体液等の吸収体として機能する。また、図示しないが、バックシート２２の幅方向中央には、使い捨ておむつ２０を着用具に固定するための縦長長方形形状の粘着領域が設けられており、使用前は剥離シートで保護されている。
【００２２】
使い捨ておむつ２０は、常法通り、幼児用、成人用又は失禁者用の使い捨ておむつとして使用されることにより、股下領域で体液等の排泄物を吸収、保持すると共に、活性炭の消臭効果により、排泄物のにおいが除去される。また、排泄された体液等は吸収体１０の長手方向の中央部分に吸収されるが、吸収体１０は、前述したように、その前端部及び後端部以外はパルプシート３で覆われているから、吸収された体液等と共に活性炭が吸収体１０の外部に流出することがなく、身体や着用具を汚さない。
尚、本実施形態の吸収性物品２０における吸収体１０の前端部及び後端部はそれぞれパルプシート３で覆われていないが、吸収した体液等はその長手方向の中央部分に留まり、前端部及び後端部まで侵入することはないので、活性炭がここから体液等と共に外部に流出することはない。
【００２３】
本発明の積層シート並びにこれを使用した吸収体及び吸収性物品は、前記実施形態に制限されず、本発明の趣旨を逸脱しない範囲で種々の変更が可能である。
本発明の積層シートは、少なくとも一側部が全体に亘って活性炭含有シートが介在していなければ良く、該一側部を含めた周縁部が全体に亘って活性炭含有シートが介在していなくても良い。また、製造時に切断される全ての部分が各部分全体に亘って活性炭含有シートが介在していなくても良い。
また、本発明の吸収体は、形状、大きさは、用途に応じて適宜変更できる。
また、本発明の吸収性物品は、前記実施形態の使い捨ておむつに何等制限されるものではなく、生理用、おりもの処理用等の吸収性物品であっても良い。
【００２４】
【発明の効果】
本発明の積層シートによれば、各種消臭・吸水用途に適用でき、十分な強度を有し、活性炭の脱落がなく、製品及び製造ラインを汚さずに製造できる。また、前記積層シートを用いた本発明の吸収体及び吸収性物品によれば、消臭・吸水機能を有し、活性炭が吸収した液体と共に外部に流出して着用具等を汚すことが無い。
【図面の簡単な説明】
【図１】図１は、本実施形態の積層シートの分解斜視図である。
【図２】図２は、本実施形態の積層シートの横断面図である。
【図３】図３は、本実施形態の吸収体の要部の一部を示す斜視図である。
【図４】図４は、本実施形態の吸収性物品の斜視図である。
【符号の説明】
１      積層シート
１ａ    積層シートの側部
２      活性炭含有シート
３      パルプシート
１０    吸収体
１１    吸収材
２０    吸収性物品
２１  トップシート
２２  バックシート
２３  サイドフラップ
２４  伸縮弾性部材
２５  第１折り返し部
２６  第２折り返し部
【図１】
0004301633.tif 000002
【図２】
0004301633.tif 000003
【図３】
0004301633.tif 000004
【図４】
0004301633.tif 000005